(57)【要約】      （修正有）【課題】焼成室内に手を入れる際に、高温の内壁に触れないようにして安全性を高めたオーブントースターを提供する。【解決手段】加熱手段としての上ヒータ８及び下ヒータ９が設けられた焼成室７を有すると共に開口部５が前方に設けられた本体２と、この本体２の開口部５を開閉する扉３とを有して構成され、開口部５の周囲に、焼成室７の内壁７Ａと隣接して、扉３の扉枠１３の背面と対向する対向面４Ｇを有する枠体４Ｆを設けたオーブントースター１であって、枠体４Ｆの色を、焼成室７の内壁７Ａの色と異ならせたことで、枠体４Ｆによって開口部５の位置及び領域が容易に視認できるので、開口部５、ひいては焼成室７内に延びる内壁７Ａに触れないようにして火傷の危険性を低下させることができる。【選択図】図３
0003136566.tif 000002
【実用新案登録請求の範囲】
【請求項１】
内部に焼成室及び加熱手段を有すると共に正面に開口部を有する本体と、前記開口部を開閉する扉とを有して構成され、前記開口部の周囲に、前記焼成室の内壁と隣接して、前記扉の背面と対向する対向面を設けたオーブントースターにおいて、
前記対向面の色が、前記焼成室内壁の色と異なるように構成したことを特徴とするオーブントースター。
【請求項２】
前記対向面の色が、前記本体の焼成室内壁の色に対し、彩度が異なるように構成されていることを特徴とする請求項１記載のオーブントースター。
【請求項３】
前記対向面の色の彩度を、前記本体の焼成室内壁の色の彩度よりも高くしたことを特徴とする請求項２記載のオーブントースター。
【請求項４】
前記対向面の色が、前記本体の焼成室内壁の色に対し、色相が異なるように構成されていることを特徴とする請求項１記載のオーブントースター。
【請求項５】
前記対向面の色が、前記本体の焼成室内壁の色に対し、明度が異なるように構成されていることを特徴とする請求項１記載のオーブントースター。
【請求項６】
前記対向面の色の明度を、前記本体の焼成室内壁の色の明度よりも高くしたことを特徴とする請求項５記載のオーブントースター。
【請求項７】
前記対向面の色を蛍光色としたことを特徴とする請求項１乃至６記載のオーブントースター。
【請求項８】
前記対向面が、前記本体の焼成室内壁とは別体の枠体に形成されていることを特徴とする請求項１乃至７記載のオーブントースター。
【考案の詳細な説明】
【技術分野】
【０００１】
本考案はオーブントースターに関するものであり、特に、火傷に対する安全性を高めたオーブントースターに関するものである。
【背景技術】
【０００２】
従来、この種のオーブントースターとしては、本体の内部にヒータ（本考案の加熱手段に相当する）を設けると共に、前記本体の正面に開口部を設け、この開口部を開閉する扉とを設けたものが知られている（例えば、特許文献１参照。）。そして、このようなオーブントースターの開口部の上方及び両側方には、閉扉時に前記扉を受けるように、この扉の内面に対向する面が形成されている。また、前記本体の外面を構成するケーシングには、手で触ることが適当ではない程度の高温時に可逆的に変色する指温塗料が塗布されている。
【特許文献１】特開２０００−１０４９２９号公報
【考案の開示】
【考案が解決しようとする課題】
【０００３】
しかしながら、このようなオーブントースターでは、本体の外面は視認しやすいので、手等が不用意に触れる虞は低い。これに対し、本体の外面よりも高温になる本体の焼成室内壁への安全対策は施されておらず、焼成室内の食品を取り出すために手を前記焼成室に入れる場合等に、手が前記焼成室内壁に触れて火傷をしてしまう虞があった。これは、前記開口部の周囲に形成された対向面と前記焼成室内壁の表面とが、共に同様の色調（例えば、両者とも同じメッキ処理）であるため、前記開口部の位置が判りにくかったためである。
【０００４】
本考案は以上の問題点を解決し、焼成室内に手を入れる際に、高温の内壁に触れないようにして安全性を高めたオーブントースターを提供することを目的とする。
【課題を解決するための手段】
【０００５】
本考案の請求項１に記載のオーブントースターは、内部に焼成室及び加熱手段を有すると共に正面に開口部を有する本体と、前記開口部を開閉する扉とを有して構成され、前記開口部の周囲に、前記焼成室の内壁と隣接して、前記扉の背面と対向する対向面を設けたオーブントースターにおいて、前記対向面の色が、前記本体の焼成室内壁の色と異なるように構成したものである。
【０００６】
また、本考案の請求項２に記載のオーブントースターは、請求項１において、前記対向面の色が、前記本体の焼成室内壁の色に対し、彩度が異なるように構成されているものである。
【０００７】
また、本考案の請求項３に記載のオーブントースターは、請求項２において、前記対向面の色の彩度を、前記本体の焼成室内壁の色の彩度よりも高くしたものである。
【０００８】
また、本考案の請求項４に記載のオーブントースターは、請求項１において、前記対向面の色が、前記本体の焼成室内壁の色に対し、色相が異なるように構成されているものである。
【０００９】
また、本考案の請求項５に記載のオーブントースターは、請求項１において、前記対向面の色が、前記本体の焼成室内壁の色に対し、明度が異なるように構成されているものである。
【００１０】
また、本考案の請求項６に記載のオーブントースターは、請求項５において、前記対向面の色の明度を、前記本体の焼成室内壁の色の明度よりも高くしたものである。
【００１１】
また、本考案の請求項７に記載のオーブントースターは、請求項１乃至６において、前記対向面の色を蛍光色としたものである。
【００１２】
更に、本考案の請求項８に記載のオーブントースターは、請求項１乃至７において、前記対向面が、前記本体の焼成室内壁とは別体の枠体に形成されているものである。
【考案の効果】
【００１３】
本考案の請求項１に記載のオーブントースターは、以上のように構成することにより、前記対向面によって前記開口部の位置及び領域が容易に視認できるので、この開口部、ひいてはこの開口部から前記焼成室内に延びる内壁に触れないようにして火傷の危険性を低下させることができる。
【００１４】
また、本考案の請求項２に記載のオーブントースターは、以上のように構成することにより、前記対向面をより目立たせて、前記開口部の位置及び領域をより容易に視認させ、この開口部、ひいてはこの開口部から前記焼成室内に延びる内壁に触れないようにして火傷の危険性を低下させることができる。
【００１５】
また、本考案の請求項３に記載のオーブントースターは、以上のように構成することにより、明るい前記対向面を彩度の高い色とし、暗い前記焼成室の内壁を彩度の低い色とすることで、彩度の他に明度にも差を付けて前記対向面をより目立たせ、前記開口部の位置及び領域をより容易に視認させることができる。
【００１６】
また、本考案の請求項４に記載のオーブントースターは、以上のように構成することにより、例えば焼成室内壁に有彩色の耐熱塗料が塗布されている場合でも、色相の差によって前記対向面をより目立たせて、前記開口部の位置及び領域をより容易に視認させ、この開口部、ひいてはこの開口部から前記焼成室内に延びる内壁に触れないようにして火傷の危険性を低下させることができる。
【００１７】
また、本考案の請求項５に記載のオーブントースターは、以上のように構成することにより、彩度や色相の認識が困難な色覚異常者であっても、前記焼成室内壁と対向面との明度の差によって、前記開口部の位置及び領域をより容易に視認させ、この開口部、ひいてはこの開口部から前記焼成室内に延びる内壁に触れないようにして火傷の危険性を低下させることができる。
【００１８】
また、本考案の請求項６に記載のオーブントースターは、以上のように構成することにより、明るい前記対向面を明度の高い色とし、暗い前記焼成室の内壁を明度の低い色とすることで、明度の差をより大きくして、前記対向面をより目立たせ、前記開口部の位置及び領域をより容易に視認させることができる。
【００１９】
また、本考案の請求項７に記載のオーブントースターは、以上のように構成することにより、前記対向面を蛍光色によってより目立たせて、前記開口部の位置及び領域をより容易に視認させることができるばかりでなく、周囲が薄暗い場合でも、蛍光により前記対向面を目立たせて、前記開口部の位置及び領域をより容易に視認させることができる。
【００２０】
更に、本考案の請求項８に記載のオーブントースターは、以上のように構成することにより、一つの部品を塗り分けたりする必要がなくなるため、着色を容易に行うことができる。
【考案を実施するための最良の形態】
【００２１】
以下、本考案の実施形態について、図１乃至図３に基づいて説明する。１はオーブントースターである。このオーブントースター１は、本体２と、扉３とを有して構成されている。そして、前記本体２の筐体４は、金属板等を折り曲げて箱状に構成されており、その前部に開口部５が設けられていると共に、その底部に開口部６が設けられている。なお、前記筐体４は、基体４Ａと、この基体４Ａの外側に設けられた外壁４Ｂと、前記基体４Ａの内側に設けられた複数の反射板４Ｃと、前記筐体４の正面下方に設けられた化粧板４Ｄと、下部前方に設けられた前記反射板４Ｃと前記化粧板４Ｄとの間に設けられた遮熱板４Ｅと、前記開口部５の両側部及び上部を囲むように設けられた枠体４Ｆとを有して構成されている。そして、前記基体４Ａと、外壁４Ｂと、反射板４Ｃと、化粧板４Ｄと、遮熱板４Ｅと、枠体４Ｆは、それぞれ別体に構成されており、これらを結合させることで、前記筐体４が構成されている。そして、前記基体４Ａの両側面と前記反射板４Ｃとで囲まれる領域が、焼成室７となっており、前記基体４Ａの両側面と前記反射板４Ｃとが、前記焼成室７の内壁７Ａとなっている。なお、前記枠体４Ｆは、全体として平面状となる対向面４Ｇを有して構成されていると共に、前記焼成室７の内壁７Ａに隣接して設けられている。そして、前記焼成室７内に、加熱手段としての上ヒータ８及び下ヒータ９が設けられている。また、前記開口部６の下方には、パン屑等を受けるための受け皿１０が着脱自在に取り付けられている。また、前記化粧板４Ｄには、操作部１１が設けられている。更に、前記体筐体４の下部には、複数の支持脚１２が設けられている。
【００２２】
そして、前記開口部５を覆うように、前記扉３が、下方に設けられた軸（図示せず）を中心に枢動するように、前記筐体４に取り付けられている。前記扉３は、中央に開口１３Ａが形成された扉枠１３と、この扉枠１３の開口１３Ａに取り付けられた窓板１４とを有して構成されている。なお、前記扉枠１３の背面は、前記筐体４の枠体４Ｆの対向面４Ｇと対向するように構成されていると共に、全体として平面状に構成されている。そして、前記扉枠１３の上部前側には、把持部１５が設けられている。また、前記扉枠１３の下部後側には、腕部１６が設けられている。なお、この腕部１６は、前記扉枠１３に対して固定されている。そして、前記腕部１６の先端部には、鉤部１６Ａが形成されており、この鉤部１６Ａが、焼き網１７の前部を枢支している。そして、この焼き網１７は、前記扉３の開閉に伴って、前記焼成室７内を前後方向に移動可能に構成されている。なお、１８は前記焼き網１７上に任意に載置される焼き皿である。
【００２３】
前記筐体４について詳述する。前記筐体４を構成する前記基体４Ａ及び反射板４Ｃの表面には、金属メッキ、防蝕用の表面処理、或いは耐熱塗装が施されている。従って、前記焼成室７の内壁７Ａの表面色は、メッキに用いられた金属の色、表面処理被膜の色、或いは耐熱塗料の色となる。なお、前記焼成室７の内壁７Ａの表面は、金属光沢を考慮しなければ、通常、灰色や黒等、彩度の低い色であることが多い。また、前記焼成室７は、開口部５以外から外光が入らず比較的暗いので、前記内壁７Ａの見かけ上の明度も低くなる。一方、前記開口部５の周囲を囲むように設けられた前記枠体４Ｆには、彩度の高い有彩色の塗料が塗布されている。また、前記枠体４Ｆには外光が当たるので、前記枠体４Ｆの見かけ上の明度も高くなる。そして、このように、前記焼成室７の内壁７Ａが、彩度及び見かけ上の明度が低い色であると共に、前記枠体４Ｆが、彩度及び見かけ上の明度が高い色であることによって、前記枠体４Ｆ、ひいては、この枠体４Ｆによって囲まれている前記開口部５を目立たせることができる。
【００２４】
なお、前記基体４Ａ及び反射板４Ｃの表面、即ち前記焼成室７の内壁７Ａに、有彩色の耐熱塗装が施されている場合等、前記内壁７Ａの表面色と前記枠体４Ｆの色とで、彩度と明度だけでなく、色相も違わせても良い。例えば、前記内壁７Ａの色が茶色である場合、前記枠体４Ｆを赤とすると、色相が同じであるため前記枠体４Ｆがあまり目立たないが、前記枠体４Ｆを緑とすると、前記内壁７Ａと枠体４Ｆが補色となるので、前記枠体４Ｆ、ひいては、この枠体４Ｆによって囲まれている前記開口部５を目立たせることができる。
【００２５】
また、色相の区別が困難な色覚異常者、或いは全く色の区別ができない全色盲者が使用する場合、前記内壁７Ａの表面色と前記枠体４Ｆの色とで彩度と色相を違えても、前記内壁７Ａと枠体４Ｆの区別が困難である。この場合、前記内壁７Ａの表面色を明度の低い色とし、前記枠体４Ｆの色を明度の高い色とすることで、色覚異常者に対しても、前記枠体４Ｆ、ひいては、この枠体４Ｆによって囲まれている前記開口部５を目立たせることができる。特に、前述したように、前記焼成室７内が暗く、前記枠体４Ｆが明るい場所に位置するので、前記内壁７Ａの見かけ上の明度がより低くなる一方、前記枠体４Ｆの見かけ上の明度がより高くなる。これによって、前記内壁７Ａの見かけ上の明度と、前記枠体４Ｆの見かけ上の明度の差を大きくすることができ、前記枠体４Ｆ、即ち前記開口部５をより目立たせることができる。
【００２６】
なお、前記枠体４Ｆには、蛍光塗料を塗布することが望ましい。このように、前記枠体４Ｆに蛍光塗料を塗布することで、この蛍光塗料の発する蛍光によって、通常の塗料を塗布した場合に比べて、前記枠体４Ｆを目立たせることができる。これは特に、周囲が薄暗い状態で顕著である。即ち、周囲が薄暗い状態であっても、蛍光塗料を励起させるのに必要な光さえあれば、蛍光塗料が蛍光を発することができるので、視認性が向上するからである。
【００２７】
また、前述したように、塗料が塗布される前記枠体４Ｆを前記筐体４の他の部分と別体に構成したことで、前記オーブントースター１の製造時に、前記枠体４Ｆにのみ塗料を塗布すればよいので、前記筐体４の一部（例えば、前記基体４Ａにおける前記開口部５の周辺部）を塗り分けるためにマスキングをしたりする必要がなく、着色を容易に行うことができる。
【００２８】
なお、前記枠体４Ｆの色は、前記外壁４Ｂの色とも異ならせておくことが望ましい。このように、前記枠体４Ｆの色と外壁４Ｂの色とを異ならせておくことで、前記扉３に隠れていた前記外壁４Ｂとは異なる色が、前記扉３を開いた際に露出して視認されるので、前記枠体４Ｆがより視認しやすくなる。
【００２９】
次に、本実施形態の作用について説明する。まず、使用者は、図示しない電源コードのプラグを、同じく図示しない交流電源の差込口に接続する。そして、前記扉３を開いて前記焼成室７から前記焼き網１７を引き出し、この焼き網１７上にパン等の被調理物を載せた後、前記扉３を閉じて前記焼成室７内に前記焼き網１７を戻す。なお、被調理物の種類によっては、前記焼き網１７上に前記焼き皿１８を載置し、この焼き皿１８上に被調理物を載せる。更に、前記操作部１１を操作して前記上ヒータ８と下ヒータ９の両方或いは何れか一方に通電することで、前記焼成室７内に収容された被調理物を加熱する。この際、前記上ヒータ８や下ヒータ９から放出された熱によって、前記焼成室７の内壁７Ａが高温になる。
【００３０】
そして、前記被調理物の焼成終了後、使用者は、前記扉３を再び開いて前記焼き網１７を前記焼成室７から引き出し、前記焼き網１７上（或いは前記焼き皿１８上）の被調理物を取り出す。この際、前記開口部５から前記焼き網１７（或いは、この焼き網１７上に載置された焼き皿１８）が全て引き出される訳ではないので、使用者は、自分の手を前記焼成室７内に入れる場合もあり得る。しかしながら、前述したように、前記開口部５の両側部及び上部を囲むように、前記内壁７Ａに隣接して設けられた前記枠体４Ｆが、前記内壁７Ａの表面色と異なる色に構成されていることで、前記枠体４Ｆ、ひいては、この枠体４Ｆによって囲まれている前記開口部５を目立たせることができる。このため、使用者が前記焼成室７内に手を入れる場合、使用者の視覚によって、前記開口部５の位置及び領域が認識し易いので、前記枠体４Ｆや、この枠体４Ｆに隣接する前記内壁７Ａに触れないようにすることができる。これによって、使用者が熱くなっている前記内壁７Ａや枠体４Ｆに触れて火傷をしてしまう虞を減ずることができる。
【００３１】
以上のように、本考案は、加熱手段としての上ヒータ８及び下ヒータ９が設けられた焼成室７を有すると共に開口部５が前方に設けられた本体２と、この本体２の開口部５を開閉する扉３とを有して構成され、前記開口部５の周囲に、前記焼成室７の内壁７Ａと隣接して、前記扉３の扉枠１３の背面と対向する対向面４Ｇを有する枠体４Ｆを設けたオーブントースター１であって、前記枠体４Ｆの色を、前記焼成室７の内壁７Ａの色と異ならせたことで、前記枠体４Ｆによって前記開口部５の位置及び領域が容易に視認できるので、前記開口部５、ひいては前記焼成室７内に延びる内壁７Ａに触れないようにして火傷の危険性を低下させることができるものである。
【００３２】
また、本考案は、前記対向面４Ｇが設けられた前記枠体４Ｆの色と、前記内壁７Ａの色とを、彩度が異なるように構成したことで、前記枠体４Ｆをより目立たせ、前記開口部５の位置及び領域をより容易に視認させ、前記開口部５、ひいてはこの開口部５から前記焼成室７内に延びる内壁７Ａに触れないようにして火傷の危険性を低下させることができるものである。
【００３３】
また、本考案は、前記対向面４Ｇが設けられた前記枠体４Ｆの色の彩度を、前記内壁７Ａの色の彩度よりも高くしたことで、明度の差によって、前記枠体４Ｆを更に目立たせ、前記開口部５の位置及び領域をより容易に視認させることができるものである。
【００３４】
また、本考案は、前記対向面４Ｇが設けられた前記枠体４Ｆの色と、前記内壁７Ａの色とを、色相が異なるように構成したことで、前記焼成室７の内壁７Ａに有彩色の耐熱塗料が塗布されている場合でも、色相の差により前記枠体４Ｆをより目立たせ、前記開口部５の位置及び領域をより容易に視認させ、前記開口部５、ひいてはこの開口部５から前記焼成室７内に延びる内壁７Ａに触れないようにして火傷の危険性を低下させることができるものである。
【００３５】
また、本考案は、前記対向面４Ｇが設けられた前記枠体４Ｆの色と、前記内壁７Ａの色とを、明度が異なるように構成したことで、彩度や色相の認識が困難な色覚異常者であっても、前記枠体４Ｆと内壁７Ａとの明度の差によって、前記開口部５の位置及び領域をより容易に視認させ、前記開口部５、ひいてはこの開口部５から前記焼成室７内に延びる内壁７Ａに触れないようにして火傷の危険性を低下させることができるものである。
【００３６】
また、本考案は、前記対向面４Ｇが設けられた前記枠体４Ｆの色の明度を、前記内壁７Ａの色の明度よりも高くしたことで、比較的暗い場所である前記焼成室７の内壁７Ａの明度を見かけ上より低くすると共に、比較的明るい場所にある前記枠体４Ｆの色の明度を見かけ上より高くすることで、両者の明度差をより大きくして、前記枠体４Ｆを更に目立たせ、前記開口部５の位置及び領域をより容易に視認させることができるものである。
【００３７】
また、本考案は、前記対向面４Ｇが設けられた前記枠体４Ｆの色を蛍光色としたことで、前記枠体４Ｆを蛍光色によってより目立たせて、前記開口部５の位置及び領域をより容易に視認させることができるばかりでなく、周囲が薄暗い場合でも、蛍光により前記枠体４Ｆを目立たせて、前記開口部５の位置及び領域をより容易に視認させることができるものである。
【００３８】
更に、本考案は、前記対向面４Ｇが形成された前記枠体４Ｆを、前記本体２の焼成室７の内壁７Ａとは別体に構成したことで、製造時に、一つの部品を部分的に塗り分けたりする必要がなくなるため、着色を容易に行うことができるものである。
【００３９】
なお、本考案は以上の実施形態に限定されるものではなく、考案の要旨の範囲内で種々の変形実施が可能である。例えば、上記実施形態では、前記扉が、扉枠と窓板とを有するように構成し、前記扉枠の背面が前記対向面と対向するように構成したが、前記窓板が前記対向面と対向するように構成してもよい。また、上記実施形態では、前記対向面を全体としてほぼ平面状としたが、必ずしも平面状である必要はない。
【図面の簡単な説明】
【００４０】
【図１】本考案の一実施例を示すオーブントースターの正面図である。
【図２】同上、Ａ−Ａ断面図である。
【図３】同上、扉を開いた状態の正面図である。
【符号の説明】
【００４１】
１  オーブントースター
２  本体
３  扉
４Ｆ  枠体
４Ｇ  対向面
５  開口部
７  焼成室
７Ａ  内壁
８  上ヒータ（加熱手段）
９  下ヒータ（加熱手段）
【図１】
0003136566.tif 000003
【図２】
0003136566.tif 000004
【図３】
0003136566.tif 000005